(57)【特許請求の範囲】
【請求項１】
外部空気を吸引する送風手段の送風側空気経路に形成した上流側の第１吹き出し口、および下流側の第２吹き出し口と、前記第１吹き出し口と第２吹き出し口との間に形成され、別系の空気を吹き出す第３吹き出し口と、前記送風側空気経路を流れる空気を第１吹き出し口側または第２吹き出し口側に択一的に切り替えるダンパと、前記送風側空気経路の第１吹き出し口よりも上流に配置され、再生時には加熱体で加熱されるようにした吸着剤と、吸着剤再生時の第２吹き出し口側に流動する高温、高湿空気を冷却して凝縮する再生除湿器と、冷却ファンを設けて外部空気を吸引し、前記再生除湿器の冷却側を通って前記第３吹き出し口に至る別系の空気経路と、乾燥させる衣類を吊るす支柱とを具備し、前記第１，第２，第３吹き出し口のそれぞれの吹き出し方向を衣類乾燥領域に設定した衣類乾燥機。
【請求項２】
吹き出し口を形成した中空状の支柱を第２吹き出し口に連設して、前記支柱を介して送給された乾燥用空気を前記吹き出し口から吹き出すようにした請求項１記載の衣類乾燥機。
【請求項３】
ハンガーパイプを設けた中空状の支柱を第２吹き出し口に連設して、前記支柱を介して送給された乾燥用空気をハンガーパイプの吹き出し口から吹き出すようにした請求項１記載の衣類乾燥機。
【請求項４】
支柱を回転変動させるようにした請求項２または３記載の衣類乾燥機。
【請求項５】
第２吹き出し口と第３吹き出し口との間に吹き出し方向を変動させるようにした第４吹き出し口を形成した請求項１〜４のいずれか１項記載の衣類乾燥機。
【請求項６】
第２吹き出し口と第４吹き出し口との間にそれらから吹き出される空気の比率を調整できる調整弁を設けた請求項５記載の衣類乾燥機。
【請求項７】
第２吹き出し口の上流側に加熱体を設けた請求項１記載の衣類乾燥機。
【発明の詳細な説明】
【０００１】
【発明の属する技術分野】
本発明は、衣類等の乾燥を行わせる除湿装置を装備した衣類乾燥機に関するものである。
【０００２】
【従来の技術】
以下に、従来の除湿機能を備えた衣類乾燥機の構成及びその動作を図１９に基いて説明する。図１９において、１は衣類を乾燥させる乾燥庫、２は乾燥庫１の下方部に乾燥空気を供給する吹き出し口２ａを設けた循環風胴、３は送風ファンからなり乾燥空気を循環送風させる送風手段、４はパイプとフィン等で構成された空冷式熱交換器、５はこの空冷式熱交換器４を空気冷却する冷却フィン、６は空冷式熱交換器４で結露した水を排出するドレン孔、７は循環風胴、８は乾燥空気を加熱する加熱体である。
【０００３】
上記のごとく乾燥庫１に乾燥空気を供給する循環経路は、送風手段３、空冷式熱交換器４、循環風胴７、循環風胴２により構成され、矢印ａの様に乾燥空気が流れる。９は衣類乾燥器本体１０に設けられた冷却空気の吸気口、１１は排気口であり、冷却経路は破線矢印ｂの様に流れる。１２は排水タンク、１３は衣類をかけるハンガ−パイプ、１４は本体１０とパッキン１５でシールされた扉である。
【０００４】
次に上記した従来の衣類乾燥機の動作を説明する。まず衣類をハンガ−にかけ、ハンガ−パイプ１３に吊り下げる。そして送風手段３及び加熱体８に通電し作動させると、乾燥空気は矢印ａの様に循環経路を流れ、加熱されて吹き出し口２ａより乾燥庫１内へと送られる。一方冷却ファン７も同時に作動させるので冷却空気は冷却経路を破線矢印ｂの様に流れる。上記の乾燥空気は衣類に当たり、衣類から水分を蒸発させ持ち去る。そして、この湿った乾燥空気を空冷式熱交換器４により露点温度以下に冷却し除湿する。乾燥空気は再び加熱体８で加熱され乾燥庫１に送られ乾燥していく。空冷式熱交換器４で除湿された水分はドレン孔６により排出されて排水タンク１２に溜まる。
【０００５】
【発明が解決しようとする課題】
しかしながら上記従来の構成では、除湿手段が空冷式熱交換器で乾燥器が設置された部屋の空気を冷却用空気とし、循環する乾燥空気を露点温度以下に冷却することで衣類より蒸発した水蒸気を凝縮させる。この種の除湿手段において除湿能力を高めるためには、空冷式熱交換器に流入する乾燥空気を高温多湿とし、冷却空気との温度差を大きくする必要があった。
【０００６】
そのために、衣類から蒸発した水蒸気を逃がさないように衣類を収納する乾燥庫を必要とした。そしてこの乾燥庫は断熱構造と、乾燥空気が乾燥庫から漏れない密閉構造が必要であった。
【０００７】
従って高断熱、高密閉のために構造が複雑で部品点数も多く高価なものであった。また、衣類を収納する乾燥庫が必要であるために、衣類乾燥器の小型化を図ることは困難であった。
【０００８】
更に、空冷式熱交換器で熱交換して温度上昇した冷却空気は、除湿作用以外に衣類の乾燥には全く寄与しないで本体外に排気されてしまうため、乾燥効率の低いものであった。
【０００９】
本発明は上記従来の課題を解決するものであり、衣類を収納する高断熱、高密閉構造の乾燥庫を不要にして小型化を図り、衣類から蒸発した水蒸気を水に凝縮して回収する除湿機能を備え、安価な衣類乾燥器を提供することを目的とするものである。
【００１０】
【課題を解決するための手段】
本発明の衣類乾燥機は、外部空気を吸引する送風手段の送風側空気経路に形成した上流側の第１吹き出し口、および下流側の第２吹き出し口と、前記第１吹き出し口と第２吹き出し口との間に形成され、別系の空気を吹き出す第３吹き出し口と、前記送風側空気経路を流れる空気を第１吹き出し口側または第２吹き出し口側に択一的に切り替えるダンパと、前記送風側空気経路の第１吹き出し口よりも上流に配置され、再生時には加熱体で加熱されるようにした吸着剤と、吸着剤再生時の第２吹き出し口側に流動する高温、高湿空気を冷却して凝縮する再生除湿器と、冷却ファンを設けて外部空気を吸引し、前記再生除湿器の冷却側を通って前記第３吹き出し口に至る別系の空気経路と、乾燥させる衣類を吊るす支柱とを具備し、前記第１，第２，第３吹き出し口のそれぞれの吹き出し方向を衣類乾燥領域に設定したものである。
【００１１】
【発明の実施の形態】
本発明の衣類乾燥機は、外部空気を吸引する送風手段の送風側空気経路に形成した上流側の第１吹き出し口、および下流側の第２吹き出し口と、前記第１吹き出し口と第２吹き出し口との間に形成され、別系の空気を吹き出す第３吹き出し口と、前記送風側空気経路を流れる空気を第１吹き出し口側または第２吹き出し口側に択一的に切り替えるダンパと、前記送風側空気経路の第１吹き出し口よりも上流に配置され、再生時には加熱体で加熱されるようにした吸着剤と、吸着剤再生時の第２吹き出し口側に流動する高温、高湿空気を冷却して凝縮する再生除湿器と、冷却ファンを設けて外部空気を吸引し、前記再生除湿器の冷却側を通って前記第３吹き出し口に至る別系の空気経路と、乾燥させる衣類を吊るす支柱とを具備し、前記第１，第２，第３吹き出し口のそれぞれの吹き出し方向を衣類乾燥領域に設定した。
【００１２】
これにより、吸着剤はその吸着工程において、送風手段により室内の空気を吸気しその空気に含まれた水分を吸着する。そして再生工程においては、加熱体を作動させることにより室内より吸気した空気を加熱し、吸着剤自身の温度も上昇してくる。このため吸着剤に吸着していた水分は徐々に吸着剤より脱離して高温高湿の空気となって下流側に設けられた除湿手段に流入する。除湿手段に流入した高温高湿の空気は別系統の冷却空気と温度差があるため、露点温度以下に冷却されて凝縮し水として回収される。
【００１３】
このようにして除湿されて乾燥した温度の高い空気が乾燥領域に流出されて衣類の乾燥を促進させることができる。前記吸着工程、再生工程を繰り返して被乾燥物の乾燥及び被乾燥物から室内に蒸発した室内空気の水分を水として回収する除湿がそれぞれ行えるので、衣類を収納する高断熱、高気密構造の乾燥庫が不要になり、小型で、除湿機能を備えた、安価な衣類乾燥機が提供できるものである。
【００１４】
乾燥領域への乾燥用空気の吹き出し口は、中空状の支柱を第２吹き出し口に連設して、前記支柱を介して送給された乾燥用空気を前記吹き出し口から吹き出すようにすることが考えられる。或いは、ハンガーパイプを設けた中空状の支柱を第２吹き出し口に連設して、前記支柱を介して送給された乾燥用空気をハンガーパイプの吹き出し口から吹き出すようにしてもよい。
【００１５】
さらに、この支柱を回転変動させたり、第２吹き出し口と第３吹き出し口との間に吹き出し方向を変動させるようにした第４吹き出し口を形成すれば、効率的乾燥が可能となる。
【００１６】
この場合、第２吹き出し口と第４吹き出し口との間にそれらから吹き出される空気の比率を調整できる調整弁を設ければ、より一層効果的乾燥ができる。
【００１７】
第２吹き出し口経由の乾燥用空気をさらに温度上昇すべく、その上流側に加熱体を設けてもよい。
【００１８】
以下本発明の実施の形態に付いて、図面に基づいて説明する。
【００１９】
（実施の形態１）
図１、図２、図３を参照しながら説明する。図１、図２、図３において、１６はシリカゲルまたはゼオライト等からなる空気中の水分を吸着する吸着剤で、空気との接触面積を広げるために通路断面が格子状あるいは六角形等の多角形の形状に形成されている。１７は吸着剤１６の上流に設けられた加熱体で、吸着剤１６の再生工程時に通電される。１８は加熱体１７の上流に設けられた送風手段で、本体１９の吸気口２０より吸気した空気を吸着剤１６に供給するものである。２１は吸着剤１６の下流に設けられた再生除湿器で、冷却ファン２２と共に除湿手段を構成する。
【００２０】
上記再生除湿器２１は、管内と管外とに分離した二つの経路を有した空冷式の熱交換器からなり、上流より流入する高温高湿の空気を再生除湿器２１の管内側に、冷却ファン２２を介して吸気口２３より吸気した冷却空気を管外側にそれぞれ流し、上記高温高湿の空気を露点温度以下に冷却して除湿する。
【００２１】
また上記冷却ファン２２は吸着、再生工程時共に作動するように設けられている。２４は吸着剤１６と再生除湿器２１を連通する風洞で、内部には流路を２経路に切り替える切り替えダンパ２５を装備している。上記切り替えダンパ２５は、モータ、電磁石等の駆動源２５ａ、仕切板２５ｂにより構成され、吸着剤１６の再生工程時のみ再生除湿器２１の管内側に空気を流通させる矢印ｃの流路と、吸着工程時には再生除湿器２１の管内側に空気を通過させない矢印ｄの流路とを形成するように切り替えられる。
【００２２】
すなわち吸着剤１６の吸着工程時に、送風手段１８により吸気口２０より吸気され吸着剤１６に送られた空気は吸着剤１６に水分を奪われた後、本体１９の天面に設けられた吹き出し口２６より被乾燥物の方向に吹き出す。また再生工程時は、再生除湿器２１の管内を通過し風胴２７を流れてきた空気を支柱２８内に吹き出す。再生除湿器２１の管外を通過した冷却空気は本体１９の天面に設けられた吹き出し口２９より被乾燥物の方向に向けて吹き出される。
【００２３】
上記吹き出し口２６、吹き出し口２９は隣接しないである距離を有して設けられている。前記支柱２８は衣類を掛けるハンガーパイプ３０、ハンガーパイプ３１を有すると共に、支柱２８自身に流れ込んだ再生除湿器２１の管内を通過した空気がハンガーパイプ３０内に流れ込むように構成されている。３２は前記ハンガーパイプ３０に設けられた吹き出し口であり前記空気が被乾燥物に向かうように例えばハンガーパイプ３０の上下の面に設けられている。３３は再生除湿器２１で凝縮した水分を回収する排水タンク、３４は衣類等の被乾燥物である。
【００２４】
以上のような構成に基いてその動作を説明する。まず衣類等の被乾燥物をハンガ―に掛けた後、ハンガーパイプ３０及びハンガーパイプ３１に吊り下げる。衣類乾燥機の電源を投入すると吸着剤１６の吸着工程が開始される。即ち、送風手段１８が動作すると吸気口２０より本体１９外部の室内空気が吸着剤１６に供給され、その空気が保有している水分を吸着剤１６が吸着し、水分を奪われた空気は乾いた空気となって矢印ｄのように本体天面の吹き出し口２６から被乾燥物方向に吹き出される。
【００２５】
この動作を一定時間行った後、吸着剤１６の再生工程に移る。再生工程に入ると切り替えダンパ２５が作動し空気の流れが矢印ｃのようにになるよう流路を切り替える。また、加熱体１７に通電され吸気口２０より吸着剤１６に供給される空気は加熱される。この時、同時に吸着剤１６自身も次第に温度上昇し、吸着剤１６に吸着していた水分が除々に吸着剤１６より脱離し、高温高湿の空気となって下流側に設けた再生除湿器２１の管内側に流入する。
【００２６】
この高温高湿の空気は、再生除湿器２１の管外側に冷却ファン２２により吸気された空気（矢印ｅ）により露点温度以下に冷却され凝縮し、凝縮水として排水タンク３３に回収される。再生除湿器２１の管内側を流出した空気（矢印ｆ）は、支柱２８内を通過してハンガーパイプ３０に設けられた吹き出し口３２から被乾燥物に向けて例えば上下に吹き出され、衣類等の被乾燥物の乾燥に利用される。特にハンガーパイプ３０、３１には衣類等の被乾燥物がかかったハンガーが吊り下げられており、その近傍に設けられた吹き出し口３２から吹き出す空気は衣類の袖口や襟など通常乾きにくい箇所にもよく当たり、乾燥にとって非常に効果的である。
【００２７】
また、再生除湿器２１の管外側を通過した冷却空気は凝縮熱により温度上昇している。従って本体天面の吹き出し口２９より被乾燥物に向けて吹き出された際に、大いに衣類等の被乾燥物の乾燥に利用されるものである。再生工程を一定時間行った後、切り替えダンパ２５を作動させて再度吸着工程に戻る。この時、吸着剤１６は再生工程時に加熱体１７で加熱されているため吸着剤１６を通過後の空気はその温度を高められる。
【００２８】
また上記したように吸気口２０より吸気した空気はその含有水分を吸着剤１６により奪われるため、吸着剤１６を通過した空気は乾いた空気となっており、本体天面の吹き出し口２６より被乾燥物に向けて吹き出す空気も大いに衣類等の被乾燥物の乾燥に適しているものである。
【００２９】
更に、吸着工程時にも冷却ファン２２は作動し再生除湿器２１を冷却し続けるので、再生除湿器２１の管内側に滞留した高温高湿の空気を冷却し凝縮させることができる。上記の吸着、再生工程を繰り返して運転を行い被乾燥物の乾燥を行うものである。
【００３０】
（実施の形態２）
次に、図４、図５を参照しながら説明する。図４、図５において１６〜２９、３３〜３４は図１、図２、図３で示した実施の形態１と同様であり、同一部分には同一符号を付けて説明を省略する。
【００３１】
３５はモータ、電磁石等の駆動源であり、ベルト，カム等の伝達手段（図示せず）を介して支柱２８を一定の角度範囲内で水平方向に繰り返し正回転、反回転するように設けられている。３６は支柱２８に設けられた吹き出し口であり、支柱２８に流入した空気が衣類等の被乾燥物に向けて吹き出すように構成されている。また衣類等の被乾燥物３４は本体１９以外の吊り下げ具（図示せず）に掛けられている。
【００３２】
以上のような構成に基いてその動作を説明する。吸着剤１６の再生工程において支柱２８に流入した高温の乾燥した空気は、支柱２８に設けられた吹き出し口３６より衣類等の被乾燥物３４に向けて吹き出されるが、この際に支柱２８がモータ、電磁石等の駆動源３５により、一定の角度範囲内で水平方向に繰り返し正回転、反回転するように設けられているため、吹き出し口３６より吹き出される高温の乾燥した空気も支柱２８と同様に、一定の角度範囲内で衣類等の被乾燥物３４に向かって吹き出されるため、衣類等の被乾燥物３４の端々にまで高温の乾燥した空気が行き渡り、効率よく衣類等の被乾燥物３４の乾燥を促進させる。その他の動作については実施の形態１と同様であり、説明を省略する。
【００３３】
（実施の形態３）
次に、図６、図７を参照しながら説明する。図６、図７において１６〜３４は図１、図２、図３で示した実施の形態１と同様であり、同一部分には同一符号を付けて説明を省略する。３７はモータ、電磁石等の駆動源であり、ベルト、カム等の伝達手段（図示せず）を介して支柱２８を一定の角度範囲内で水平方向に繰り返し正回転、反回転するように設けられている。
【００３４】
以上のような構成に基いてその動作を説明する。吸着剤１６の再生工程において支柱２８に流入した高温の乾燥した空気は、支柱２８の一部に設けられたハンガーパイプ３０が有する吹き出し口３２より衣類等の被乾燥物３４に向けて吹き出される。
【００３５】
この際に支柱２８がモータ、電磁石等の駆動源３７により、一定の角度範囲内で水平方向に繰り返し正回転、反回転するように設けられているため、支柱２８の一部に設けられたハンガーパイプ３０、３１とハンガーパイプ３０、３１に掛けられた衣類等の被乾燥物３４も支柱２８と同様に、一定の角度範囲内で繰り返し正回転、反回転する。従って衣類等の被乾燥物３４が揺さぶられ衣類等の被乾燥物３４からの水分の脱離が良くなり、より効率よく乾燥を促進させる。その他の動作については前記実施の形態１と同様であり、説明を省略する。
【００３６】
（実施の形態４）
図８、図９において１６〜２７、２９、３３、３４は図１、図２、図３で示した実施の形態１と同様であり、同一部分には同一符号を付けて説明を省略する。
【００３７】
３８はモータ、電磁石等の駆動源であり、ベルト、カム等の伝達手段（図示せず）を介して本体１９の天面端に設けられた吹き出し口３９を一定の角度範囲内で垂直方向に繰り返し正回転、反回転するように設けられている。また吹き出し口３９は吹き出す空気が衣類等の被乾燥物３４に向かうように構成されている。また衣類等の被乾燥物３４は本体１９以外の吊り下げ具（図示せず）に掛けられている。
【００３８】
以上のような構成に基いてその動作を説明する。吸着剤１６の再生工程において風洞２７に流入した高温の乾燥した空気は、本体１９の天面端に設けられた吹き出し口３９より衣類等の被乾燥物３４に向けて吹き出される。
【００３９】
この際に吹き出し口３９がモータ、電磁石等の駆動源３８により、一定の角度範囲内で垂直方向に繰り返し正回転、反回転するように設けられているため、吹き出し口３９より吹き出される高温の乾燥した空気も一定の角度範囲内で衣類等の被乾燥物３４の上下方向に向かい、衣類等の被乾燥物３４の端々にまで高温の乾燥した空気が行き渡り、より効率よく衣類等の被乾燥物３４の乾燥を促進させる。その他の動作については実施の形態１と同様であり、説明を省略する。
【００４０】
（実施の形態５）
図１０、図１１において１６〜３１、３３、３４は図１、図２、図３で示した実施の形態１と同様であり、同一部分には同一符号を付けて説明を省略する。
【００４１】
４０はモータ、電磁石等の駆動源であり、ベルト、カム等の伝達手段（図示せず）を介して本体１９の天面端に設けられた吹き出し口ａ４１を一定の角度範囲内で垂直方向に繰り返し正回転、反回転するように設けられている。４２はハンガーパイプ３０に設けられた吹き出し口ｂであり支柱２８より流入する高温の乾燥した空気が被乾燥物に向かうように例えばハンガーパイプ３０の上下の面に設けられている。
【００４２】
以上のような構成に基ずいてその動作を説明する。吸着剤１６の再生工程において風洞２７に流入した高温の乾燥した空気は、本体１９の天面端に設けられた吹き出し口ａ４１とハンガーパイプ３０に設けられた吹き出し口ｂ４２の両方より衣類等の被乾燥物３４に向けて吹き出される。
【００４３】
この際に吹き出し口ａ４１がモータ、電磁石等の駆動源４０により、一定の角度範囲内で垂直方向に繰り返し正回転、反回転するように設けられているため、吹き出し口ａ４１より吹き出される高温の乾燥した空気も一定の角度範囲内で衣類等の被乾燥物３４の上下方向に向かい、衣類等の被乾燥物３４の端々にまで高温の乾燥した空気が行き渡り、より効率よく衣類等の被乾燥物３４の乾燥を促進させる。その他の動作については前記実施の形態１と同様であり、説明を省略する。
【００４４】
（実施の形態６）
図１２、図１３において１６〜２９、３３、３４は図１、図２、図３で示した実施の形態１と同様であり、同一部分には同一符号を付けて説明を省略する。
【００４５】
４３はモータ、電磁石等の駆動源であり、ベルト、カム等の伝達手段（図示せず）を介して本体１９の天面端に設けられた吹き出し口ａ４４を一定の角度範囲内で垂直方向に繰り返し正回転、反回転するように設けられている。４５は支柱２８に設けられた吹き出し口ｂであり、支柱２８より流入する高温の乾燥した空気が被乾燥物に向かって吹き出されるように構成されている。
【００４６】
４６はモータ、電磁石等の駆動源であり、ベルト、カム等の伝達手段（図示せず）を介して支柱２８を一定の角度範囲内で水平方向に繰り返し正回転、反回転するように設けられている。また衣類等の被乾燥物３４は本体１９以外の吊り下げ具（図示せず）に掛けられている。
【００４７】
以上のような構成に基いてその動作を説明する。吸着剤１６の再生工程において風洞２７に流入した高温の乾燥した空気は、本体１９の天面端に設けられた吹き出し口ａ４４と支柱２８に設けられた吹き出し口ｂ４５の両方より衣類等の被乾燥物３４に向けて吹き出される。
【００４８】
この際に吹き出し口ａ４４がモータ、電磁石等の駆動源４３により、一定の角度範囲内で垂直方向に繰り返し正回転、反回転するように設けられており、吹き出し口ａ４４より吹き出される高温の乾燥した空気も一定の角度範囲内で衣類等の被乾燥物３４の上下方向に向かい、また支柱２８もモータ、電磁石等の駆動源４６により、一定の角度範囲内で水平方向に繰り返し正回転、反回転するように設けられており、吹き出し口ｂ４５より吹き出される高温の乾燥した空気も一定の角度範囲内で衣類等の被乾燥物３４の左右方向に向かうため、衣類等の被乾燥物３４の端々にまで高温の乾燥した空気が行き渡り、より効率よく衣類等の被乾燥物３４の乾燥を促進させる。その他の動作については前記実施の形態１と同様であり、説明を省略する。
【００４９】
（実施の形態７）
図１４、図１５において１６〜３１、３３、３４、４０〜４２は図１０、図１１で示した実施の形態５と同様であり、同一部分には同一符号を付けて説明を省略する。
【００５０】
４７はモータ、電磁石等の駆動源であり、ベルト、カム等の伝達手段（図示せず）を介して支柱２８を一定の角度範囲内で水平方向に繰り返し正回転、反回転するように設けられている。
【００５１】
以上のような構成に基いてその動作を説明する。吸着剤１６の再生工程において支柱２８に流入した高温の乾燥した空気は、支柱２８の一部に設けられたハンガーパイプ３０が有する吹き出し口ｂ４２より衣類等の被乾燥物３４に向けて吹き出される。
【００５２】
この際に支柱２８がモータ、電磁石等の駆動源４７により、一定の角度範囲内で水平方向に繰り返し正回転、反回転するように設けられているため、支柱２８の一部に設けられたハンガーパイプ３０、３１とハンガーパイプ３０、３１に掛けられた衣類等の被乾燥物３４も支柱２８と同様に、一定の角度範囲内で繰り返し正回転、反回転する。
【００５３】
従って衣類等の被乾燥物３４に動きが加えられ衣類等の被乾燥物３４からの水分の脱離が良くなり、より効率よく乾燥を促進させる。その他の動作については前記実施の形態１と同様であり、説明を省略する。
【００５４】
（実施の形態８）
図１６、図１７において１６〜３１、３３、３４、４０〜４２は図１０、図１１で示した実施の形態５と同様であり、同一部分には同一符号を付けて説明を省略する。
【００５５】
４８は風洞２７と吹き出し口ａ４１との間に設けられた調整弁ａであり、本体１９表面に設けられたつまみａ４９と連動している。５０は同じく風洞２７と支柱２８との間に設けられた調整弁ｂであり、本体１９表面に設けられたつまみｂ５１と連動している。
【００５６】
以上のような構成に基いてその動作を説明する。吸着剤１６の再生工程において風洞２７に流入した高温の乾燥した空気は、本体１９の天面端に設けられた吹き出し口ａ４１とハンガーパイプ３０に設けられた吹き出し口ｂ４２の両方より衣類等の被乾燥物３４に向けて吹き出される。
【００５７】
この際に本体１９の表面に設けたつまみａ４９、つまみｂ５１を操作することによりこれらと連動した調整弁ａ４８、調整弁ｂ５０を調整することができる。調整弁ａ４８、調整弁ｂ５０の調整により、それぞれ風路抵抗が変わり吹き出し口ａ４１と支柱２８とに流入する高温の乾燥した空気の比率が変化する。
【００５８】
このため吹き出し口ａ４１と吹き出し口ｂ４２から衣類等の被乾燥物３４に向かって吹き出される高温の乾燥した空気の比率も変化する。従って調整弁ａ４８、調整弁ｂ５０を調整することにより、吹き出し口ａ４１と吹き出し口ｂ４２から衣類等の被乾燥物３４に向かって吹き出される高温の乾燥した空気の比率を調整することができ、ハンガーパイプ３０、ハンガーパイプ３１に掛けられた衣類等の被乾燥物３４の大きさや量に合わせて、それぞれ吹き出し口ａ４１と吹き出し口ｂ４２より適量の高温の乾燥した空気を吹き出すことができ、より効率の良い乾燥を促進させることができる。
【００５９】
その他の動作については前記第五の手段と同様であり、説明を省略する。なお本実施例では実施の形態５を基本にして説明したが、実施の形態６または７のいずれかの形態に関しても同様の動作と効果が得られることは説明するまでもない。
【００６０】
（実施の形態９）
図１８において１６〜３４は図１、図２、図３で示した実施の形態１と同様であり、同一部分には同一符号を付けて説明を省略する。
【００６１】
５２は風洞２７と支柱２８との間に設けられた補助加熱体であり、加熱体１７同様、吸着剤１６の再生工程時に通電されるように構成されている。
【００６２】
以上のような構成に基ずいてその動作を説明する。吸着剤１６の再生工程において支柱２８に流入した高温の乾燥した空気は、支柱２８の一部に設けられたハンガーパイプ３０が有する吹き出し口３２より衣類等の被乾燥物３４に向けて吹き出される。
【００６３】
この際風洞２７と支柱２８との間に補助加熱体５２が設けられているため、吹き出し口３２より吹き出される高温の乾燥した空気はより高温になり、効率の良い乾燥を促進させるものである。その他の動作は前記実施の形態１と同様であり、説明を省略する。
【００６４】
なお本実施例では実施の形態１を基本にして説明したが、実施の形態２〜７のいずれかの形態に関しても同様の動作と効果が得られることは説明するまでもない。
【００６５】
以上説明した実施の形態について、その意義をまとめれば以下次の通りとなる。
【００６６】
（１）吸着剤の吸着、再生工程を連続して繰り返し、再生工程時に再生除湿器等の除湿手段を用いて、衣類等の被乾燥物から室内空気中に蒸発した水分を、本体内に吸気し水に凝縮する除湿機能が発揮できるものである。
【００６７】
（２）工程時に加熱体により熱せられ、且つ再生除湿器等の除湿手段通過時に除湿された高温の乾燥した空気を、支柱の一部に設けたハンガーパイプの吹き出し口よりハンガーパイプに掛けられた衣類等の被乾燥物に向けて吹き出すことにより、より効率の良い乾燥が実現するものである。
【００６８】
（３）再生工程時に再生除湿器等を冷却した際に、凝縮熱により温度上昇した高温の空気や、吸着工程時に吸着剤により水分を奪われ乾燥した比較的高温の空気も衣類等の被乾燥物に向けて吹き出すため、大いに乾燥が進むものである。従って、衣類を収納する高断熱、高気密構造の乾燥庫を必要とせず、設置の際の圧迫感も無く小型で安価な除湿機能付きの衣類乾燥機が提供できるものである。
【００６９】
（４）支柱が一定の角度範囲内で水平方向に繰り返し正回転、反回転するため、支柱の一部に設けたハンガーパイプに掛けられた衣類等の被乾燥物も支柱と同様に繰り返し正回転、反回転し、衣類等の被乾燥物からの水分の脱離が促進されるため、更に効率の良い乾燥が実現するものである。
【００７０】
（５）吹き出し口ａ、吹き出し口ｂより衣類等の被乾燥物に向けて吹き出されるそれぞれの高温の乾燥した空気の量の比率を、本体内に設けた調整弁と連動した本体表面のつまみを操作することにより調整できるため、ハンガーパイプ等に掛けられた衣類等の被乾燥物の大きさや、量に合わせて最適の乾燥状態を作り出すことができ、非常に効率の良い乾燥が実現するものである。
【００７１】
（６）再生除湿器等の除湿手段と吹き出し口との間に補助加熱体が設けられているため、吹き出し口より衣類等の被乾燥物に向けて吹き出される高温の乾燥した空気はより高温になり、乾燥を更に促進させ、本体外部の室温等が低い場合などには特に効果を発揮するものである。
【００７２】
【発明の効果】
以上説明したように本発明の衣類乾燥機によれば、構成が簡単で、しかも効率的な衣類乾燥を実現できるものである。
【図面の簡単な説明】
【図１】  本発明の実施の形態１による衣類乾燥機を示す要部断面図
【図２】  同衣類乾燥機を示す外観斜視図
【図３】  同衣類乾燥機を示す外観図
【図４】  本発明の実施の形態２による衣類乾燥機を示す要部断面図
【図５】  同衣類乾燥機を示す外観斜視図
【図６】  本発明の実施の形態３による衣類乾燥機を示す要部断面図
【図７】  同衣類乾燥機を示す外観斜視図
【図８】  本発明の実施の形態４による衣類乾燥機を示す要部断面図
【図９】  同衣類乾燥機を示す外観斜視図
【図１０】  本発明の実施の形態５による衣類乾燥機を示す要部断面図
【図１１】  同衣類乾燥機を示す外観斜視図
【図１２】  本発明の実施の形態６による衣類乾燥機を示す要部断面図
【図１３】  同衣類乾燥機を示す外観斜視図
【図１４】  本発明の実施の形態７による衣類乾燥機を示す要部断面図
【図１５】  同衣類乾燥機を示す外観斜視図
【図１６】  本発明の実施の形態８による衣類乾燥機を示す要部断面図
【図１７】  同衣類乾燥機を示す外観斜視図
【図１８】  本発明の実施の形態９による衣類乾燥機を示す要部断面図
【図１９】  従来の衣類乾燥機の要部断面図
【符号の説明】
１６  吸着剤
１７  加熱体
１８  送風手段
１９  本体
２０  吸気口
２１  再生除湿器
２２  冷却ファン
２５  切り替えダンパ
２８  支柱
３０  ハンガーパイプ
３２  吹き出し口
【図１】
0003744033.tif 000002
【図２】
0003744033.tif 000003
【図３】
0003744033.tif 000004
【図４】
0003744033.tif 000005
【図５】
0003744033.tif 000006
【図６】
0003744033.tif 000007
【図７】
0003744033.tif 000008
【図８】
0003744033.tif 000009
【図９】
0003744033.tif 000010
【図１０】
0003744033.tif 000011
【図１１】
0003744033.tif 000012
【図１２】
0003744033.tif 000013
【図１３】
0003744033.tif 000014
【図１４】
0003744033.tif 000015
【図１５】
0003744033.tif 000016
【図１６】
0003744033.tif 000017
【図１７】
0003744033.tif 000018
【図１８】
0003744033.tif 000019
【図１９】
0003744033.tif 000020